(57)【要約】      （修正有）【課題】エレクトロニクス機器部品を組立てたロボット型装身具の提供する。【解決手段】２個のスペーサー２を並列させ、ドーナツ型溝付きゴムブッシュ１の開口部に挿通し、ドーナツ型溝付きゴムブッシュ１の溝に８個のカシメ玉３を八方位に配置したワイヤー４を巻きつけ捩じり止めし、顔及び胴体と見立る。また、９ピン５にＹ型圧着端子６、開閉式留具７を通し曲留し、顔及び胴体のカシメ玉３につなげ手と見立て、９ピン５にＲ型圧着端子８、開閉式留具７を通し曲留し、胴体のカシメ玉３につなげ足と見立る。さらに、発光ダイオード９のリード線１０に開閉式留具７を通し曲留し、顔及び胴体のカシメ玉３につなげて、耳と見立ててロボット型装身具を形成する。【選択図】図１
0003172279.tif 000002
【実用新案登録請求の範囲】
【請求項１】
２個のスペーサー（２）を並列させ、ドーナツ型溝付きゴムブッシュ（１）の開口部に挿通し、ドーナツ型溝付きゴムブッシュ（１）の溝に８個のカシメ玉（３）を八方位に配置したワイヤー（４）を巻きつけ捩じり止めし、顔及び胴体と見立て（図２Ａ）、９ピン（５）にＹ型圧着端子（６）、開閉式留具（７）を通し曲留し（図２Ｂ）顔及び胴体のカシメ玉（３）につなげ手と見立て、９ピン（５）にＲ型圧着端子（８）、開閉式留具（７）を通し曲留し（図２Ｃ）、胴体のカシメ玉（３）につなげ足と見立て、発行ダイオード（９）のリード線（１０）に開閉式留具（７）を通し曲留し（図２Ｄ）顔及び胴体のカシメ玉（３）につなげ耳と見立て（図１）エレクトロニクス機器部品を着脱自在に組み合わせたロボット型装身具。
【請求項２】
パソコンのキー（１３）をドーナツ型溝付きゴムブッシュ（１）の開口部に挿通し（図４Ｆ）、ドーナツ型溝付きゴムブッシュ（１）の溝に８個のカシメ玉（３）を八方位に配置したワイヤー（４）を巻きつけ捩じり止めし、顔及び胴体と見立て、９ピン（５）にＹ型圧着端子（６）、開閉式留具（７）を通し曲留し（図２Ｂ）顔及び胴体のカシメ玉（３）につなげ手と見立て、コンデンサー（１２）のリード線（１０）に開閉式留具（７）を通し曲留し（図２Ｅ）、顔及び胴体のカシメ玉（３）につなげ足と見立て、発行ダイオード（９）のリード線（１０）に開閉式留具（７）を通し曲留し（図２Ｄ）顔及び胴体のカシメ玉（３）につなげ耳と見立て（図５）エレクトロニクス機器部品を着脱自在に組み合わせたロボット型装身具。
【請求項３】
ギターピック（１４）の開口部に、ワイヤーに丸玉（１６）２個挿通したものを貫通させ（図６）、２個のスペーサー（２）を並列させ、ドーナツ型溝付きゴムブッシュ（１）の開口部に挿通し（図２Ａ）、スペーサー（２）の穴にギターピック（１４）の開口部にワイヤーに丸玉（１６）２個挿通したものを貫通させ、ワイヤーを巻きつけ捩り止めし、ドーナツ型溝付きゴムブッシュ（１）の溝に８個のカシメ玉（３）を八方位に配置したワイヤー（４）を巻きつけ捩じり止めし、顔及び胴体と見立て（図６Ｇ）、９ピン（５）にＹ型圧着端子（６）、開閉式留具（７）を通し曲留し（図２Ｂ）顔及び胴体のカシメ玉（３）につなげ手と見立て、９ピン（５）にＲ型圧着端子（８）、開閉式留具（７）を通し曲留し（図２Ｃ）、胴体のカシメ玉（３）につなげ足と見立て、発行ダイオード（９）のリード線（１０）に開閉式留具（７）を通し曲留し（図２Ｄ）顔及び胴体のカシメ玉（３）につなげ耳と見立て（図７）エレクトロニクス機器部品を着脱自在に組み合わせたロボット型装身具。
【請求項４】
古銭（１５）の開口部に、ワイヤーに丸玉（１６）２個挿通したものを貫通させ、図２Ａのスペーサー（２）の穴に古銭（１５）の開口部にワイヤーに丸玉（１６）２個挿通したものを貫通させ、ワイヤーを巻きつけ捩り留めし、ドーナツ型溝付きゴムブッシュ（１）の溝に８個のカシメ玉（３）を八方位に配置したワイヤー（４）を巻きつけ捩じり止めし、顔及び胴体と見立て（図８Ｈ）、９ピン（５）にＹ型圧着端子（６）、開閉式留具（７）を通し曲留し（図２Ｂ）顔及び胴体のカシメ玉（３）につなげ手と見立て、９ピン（５）にＲ型圧着端子（８）、開閉式留具（７）を通し曲留し（図２Ｃ）、胴体のカシメ玉（３）につなげ足と見立て、発行ダイオード（９）のリード線（１０）に開閉式留具（７）を通し曲留し（図２Ｄ）顔及び胴体のカシメ玉（３）につなげ耳と見立て（図９）エレクトロニクス機器部品を着脱自在に組み合わせたロボット型装身具。
【考案の詳細な説明】
【技術分野】
【０００１】  本考案は、エレクトロニクス機器部品を組合せたロボット型装身具分野に関するものである。
【背景技術】
【０００２】  従来の装身具は部品も含めて、装身具専用に製造されるというのが手段としても常套なものであった。
【考案の開示】
【考案が解決しようとする課題】
【０００３】  従来の装身具は次のような課題があった。
（イ）ハイテクノロジー、ロボット等、機能性をイメージさせるような装身具は今まで殆ど存在していない。
（ロ）素材自体の価値に意味を見てアイディアの面白いものは殆どなかった。
（ハ）イメージ商品は自然物、動植物がほとんどで概念化されたものばかりで新規性を感じられない。
（ニ）装身具は装身具用として専用に創られるため、量産化はされずコストの高いものになっている。
本考案は、これらの課題を解決することを目的になされたものである。
【考案を解決するための手段】
【０００４】  エレクトロニクス機器部品の素材本来の用途・目的に拘わらず視点を変えて、部品どうしの連関性・相互の発展性・精密製・仕上げの良さ・耐久性蝕性・その他、このハイテクパーツ類の持つ属性を美しさとして捉え、機能的美しさを創出する今日的装身具化することで、新ジャンルを開く。
【考案の効果】
【０００５】  本考案は在来にない新しいハイテクイメージの装身具類のジャンルを開く。
【０００６】  素材の外観の美しさに意味があるため、外観が整っていれば内部に故障、欠陥があっても活用できる。
【０００７】  リサイクル品でも外観が整っていれば活用することができる。
【０００８】  エレクトロニクス機器部品の種類は多種多様にあるので、感性の赴くままその組合せによる新製品はほぼ無限に近い。
【考案を実施するための最良の形態】
【０００９】    素材本来の用途を廃棄し、視点を変えて単に無機的素材として捉え、ハイテクでありながら可愛らしさのイメージを想起させるロボットを追求し組み合せ、基本は同じでも変化性をもたせたバリエーションをつくるためヘッドユニットに請求項２にみられるパソコンのキー（）をドーナツ型溝付きゴムブッシュ（１）の開口部に挿通したもの等、手足ユニットにもサイズを変化させた数種の形状変化種類を用意してバリエーション展開を図った組合せの装身具としている。
【実施例】
【００１０】  以下、実施例について図面を参照に説明すると、図１において本考案の一形態を例示している。２個のスペーサー（２）を並列させ、ドーナツ型溝付きゴムブッシュ（１）の開口部に挿通し、ドーナツ型溝付きゴムブッシュ（１）の溝に８個のカシメ玉（３）を八方位に配置したワイヤー（４）を巻きつけ捩じり止めし、顔及び胴体と見立て（図２Ａ）、９ピン（５）にＹ型圧着端子（６）、開閉式留具（７）を通し曲留し（図２Ｂ）顔及び胴体のカシメ玉（３）につなげ手と見立て、９ピン（５）にＲ型圧着端子（８）、開閉式留具（７）を通し曲留し（図２Ｃ）、胴体のカシメ玉（３）につなげ足と見立て、発行ダイオード（９）のリード線（１０）に開閉式留具（７）を通し曲留し（図２Ｄ）顔及び胴体のカシメ玉（３）につなげ耳と見立て（図１）エレクトロニクス機器部品を着脱自在に組み合わせる。【００１１】  パソコンのキー（１３）をドーナツ型溝付きゴムブッシュ（１）の開口部に挿通し（図４）、ドーナツ型溝付きゴムブッシュ（１）の溝に８個のカシメ玉（３）を八方位に配置したワイヤー（４）を巻きつけ捩じり止めし、顔及び胴体と見立て、９ピン（５）にＹ型圧着端子（６）、開閉式留具（７）を通し曲留し（図２Ｂ）顔及び胴体のカシメ玉（３）につなげ手と見立て、コンデンサー（１２）のリード線（１０）に開閉式留具（７）を通し曲留し（図２Ｅ）、顔及び胴体のカシメ玉（３）につなげ足と見立て、発行ダイオード（９）のリード線（１０）に開閉式留具（７）を通し曲留し（図２Ｄ）顔及び胴体のカシメ玉（３）につなげ耳と見立て（図５）エレクトロニクス機器部品を着脱自在に組み合わせる。【００１２】  ギターピック（１４）の開口部に、ワイヤーに丸玉（１６）２個挿通したものを貫通させ、図２Ａのスペーサー（２）の穴にギターピック（１４）の開口部にワイヤーに丸玉（１６）２個挿通したものを貫通させ、ワイヤーを巻きつけ捩り止めし、ドーナツ型溝付きゴムブッシュ（１）の溝に８個のカシメ玉（３）を八方位に配置したワイヤー（４）を巻きつけ捩じり止めし、顔及び胴体と見立て（図６Ｇ）、９ピン（５）にＹ型圧着端子（６）、開閉式留具（７）を通し曲留し（図２Ｂ）顔及び胴体のカシメ玉（３）につなげ手と見立て、９ピン（５）にＲ型圧着端子（８）、開閉式留具（７）を通し曲留し（図２Ｃ）、胴体のカシメ玉（３）につなげ足と見立て、発行ダイオード（９）のリード線（１０）に開閉式留具（７）を通し曲留し（図２Ｄ）顔及び胴体のカシメ玉（３）につなげ耳と見立て（図７）エレクトロニクス機器部品を着脱自在に組み合わせる。【００１３】  古銭（１５）の開口部に、ワイヤーに丸玉（１６）２個挿通したものを貫通させ、図２Ａのスペーサー（２）の穴に古銭（１５）の開口部にワイヤーに丸玉（１６）２個挿通したものを貫通させ、ワイヤーを巻きつけ捩り留めし、ドーナツ型溝付きゴムブッシュ（１）の溝に８個のカシメ玉（３）を八方位に配置したワイヤー（４）を巻きつけ捩じり止めし、顔及び胴体と見立て（図８Ｈ）、９ピン（５）にＹ型圧着端子（６）、開閉式留具（７）を通し曲留し（図２Ｂ）顔及び胴体のカシメ玉（３）につなげ手と見立て、９ピン（５）にＲ型圧着端子（８）、開閉式留具（７）を���し曲留し（図２Ｃ）、胴体のカシメ玉（３）につなげ足と見立て、発行ダイオード（９）のリード線（１０）に開閉式留具（７）を通し曲留し（図２Ｄ）顔及び胴体のカシメ玉（３）につなげ耳と見立て（図９）エレクトロニクス機器部品を着脱自在に組み合わせる。【００１４】パソコンのキー（１３）は表記の文字数字により顔及び胴体の表情を変えることができる。【００１５】  組み合わせ使用するエレクトロニクス機器部品類はその使用に合わせて予め事前準備をしておく必要がある。【００１６】  ２個のスペーサー（２）を並列させ、ドーナツ型溝付きゴムブッシュ（１）の開口部に挿通したものを予め準備しておく。【００１７】  パソコンのキー（１３）をドーナツ型溝付きゴムブッシュ（１）の開口部に挿通したものを予め準備しておく。【００１８】ギターピック（１４）の開口部に、ワイヤーに丸玉（１６）２個挿通したものを貫通させ、図２Ａのスペーサー（２）の穴にギターピック（１４）の開口部にワイヤーに丸玉（１６）２個挿通したものを貫通させ（図６）ワイヤーを巻きつけ捩り止めしたものを予め準備しておく。【００１９】古銭（１５）の開口部に、ワイヤーに丸玉（１６）２個挿通したものを貫通させ、図２Ａのスペーサー（２）の穴に古銭（１５）の開口部にワイヤーに丸玉（１６）２個挿通したものを貫通させ（図８）ワイヤーを巻きつけ捩り止めしたものを予め準備しておく。【００２０】９ピン（５）にＹ型圧着端子（６）、開閉式留具（７）を通し曲留（図２Ｂ）したものを予め準備しておく。【００２１】９ピン（５）にＲ型圧着端子（８）、開閉式留具（７）を通し曲留（図２Ｃ）したものを予め準備しておく。【００２２】コンデンサー（１２）のリード線（１０）に開閉式金具（７）を通し曲留（図２Ｄ）したものをしたものを予め準備しておく。【００２３】発行ダイオード（９）のリード線（１０）に開閉式留具（７）を通し曲留（図２Ｅ）したものをしたものを予め準備しておく。【００２４】  組み立てたロボット型装身具に設けた吊りさげポイント３ア（図１）は、アクセサリーとして使用する場合のチェーン或いはリングフック、バチカン止め等に使用するためのポイントとして設けたものである。【００２５】  組み立てたロボット型装身具に設けた連結ポイント３イ（図１）は、ユニット及び組み立てられたロボット型装身具をいくつか連結させての使用を連結可能にするために設けたものである。
【産業上の利用可能性】
【００２６】  本考案は、シンプルで安価なエレクトロニクス機器部品を生かした組み合わせのため低コストで生産可能。【００２７】  簡易組み立てで量産性が高い。【００２８】  エレクトロニクス機器部品は新品でなくても使用可能でエコロジー効果があり、産業上の利用の可能性が高い。【００２９】  エレクトロニクス機器部品は世界共通性を持ち国際的にも産業化できる。【００３０】  新感覚の装身具であり幅広い年代層に対応できる。
【図面の簡単な説明】
【００３１】
【図１】本考案のエレクトロニクス機器部品を組合せたロボット型装身具の外観透視図
【図２】図１のユニット展開図
【図３】図１の展開図
【図４】パソコンキーロボット型装身具の展開図
【図５】パソコンキーロボット型装身具の外観透視図
【図６】ギターピックロボット型装身具の展開図
【図７】ギターピックロボット型装身具の外観透視図
【図８】古銭ロボット型装身具の展開図
【図９】古銭ロボット型装身具の外観透視図
【符号の説明】
【００３２】  １    ドーナツ型溝付きゴムブッシュ
２    スペーサー
３    カシメ玉
４    ワイヤー
５    ９ピン
６    Ｙ型圧着端子
７    開閉式留金具
８    Ｒ型圧着端子
９    発光ダイオード
１０  リード線
１１  Ｃ環
１２  コンデンサー
１３  パソコンキー
１４  ギターピック
１５  古銭
１６  丸玉
【図１】
0003172279.tif 000003
【図２】
0003172279.tif 000004
【図３】
0003172279.tif 000005
【図４】
0003172279.tif 000006
【図５】
0003172279.tif 000007
【図６】
0003172279.tif 000008
【図７】
0003172279.tif 000009
【図８】
0003172279.tif 000010
【図９】
0003172279.tif 000011
【手続補正書】
【提出日】平成23年5月12日(2011.5.12)
【手続補正１】
【補正対象書類名】実用新案登録請求の範囲
【補正対象項目名】全文
【補正方法】変更
【補正の内容】
【実用新案登録請求の範囲】
【請求項１】
２個のスペーサー（２）を並列させ、ドーナツ型溝付きゴムブッシュ（１）の開口部に挿通し、ドーナツ型溝付きゴムブッシュ（１）の溝に８個のカシメ玉（３）を八方位に配置したワイヤー（４）を巻きつけ捩じり止めし、顔及び胴体と見立て（図２Ａ）、９ピン（５）にＹ型圧着端子（６）、開閉式留具（７）を通し曲留し（図２Ｂ）顔及び胴体のカシメ玉（３）につなげ手と見立て、９ピン（５）にＲ型圧着端子（８）、開閉式留具（７）を通し曲留し（図２Ｃ）、胴体のカシメ玉（３）につなげ足と見立て、発光ダイオード（９）のリード線（１０）に開閉式留具（７）を通し曲留し（図２Ｄ）顔及び胴体のカシメ玉（３）につなげ耳と見立て（図１）エレクトロニクス機器部品を着脱自在に組み合わせたロボット型装身具。
【請求項２】
パソコンのキー（１３）をドーナツ型溝付きゴムブッシュ（１）の開口部に挿通し（図４）、ドーナツ型溝付きゴムブッシュ（１）の溝に８個のカシメ玉（３）を八方位に配置したワイヤー（４）を巻きつけ捩じり止めし、顔及び胴体と見立て（図４Ｆ）、９ピン（５）にＹ型圧着端子（６）、開閉式留具（７）を通し曲留し（図２Ｂ）顔及び胴体のカシメ玉（３）につなげ手と見立て、コンデンサー（１２）のリード線（１０）に開閉式留具（７）を通し曲留し（図２Ｅ）、顔及び胴体のカシメ玉（３）につなげ足と見立て、発光ダイオード（９）のリード線（１０）に開閉式留具（７）を通し曲留し（図２Ｄ）顔及び胴体のカシメ玉（３）につなげ耳と見立て（図５）エレクトロニクス機器部品を着脱自在に組み合わせたロボット型装身具。
【請求項３】
ギターピック（１４）の開口部に、ワイヤーに丸玉（１６）２個挿通したものを貫通させ（図６）、２個のスペーサー（２）を並列させ、ドーナツ型溝付きゴムブッシュ（１）の開口部に挿通し（図２Ａ）、スペーサー（２）の穴にギターピック（１４）の開口部にワイヤーに丸玉（１６）２個挿通したものを貫通させ、ワイヤーを巻きつけ捩り止めし、ドーナツ型溝付きゴムブッシュ（１）の溝に８個のカシメ玉（３）を八方位に配置したワイヤー（４）を巻きつけ捩じり止めし、顔及び胴体と見立て（図６Ｇ）、９ピン（５）にＹ型圧着端子（６）、開閉式留具（７）を通し曲留し（図２Ｂ）顔及び胴体のカシメ玉（３）につなげ手と見立て、９ピン（５）にＲ型圧着端子（８）、開閉式留具（７）を通し曲留し（図２Ｃ）、胴体のカシメ玉（３）につなげ足と見立て、発光ダイオード（９）のリード線（１０）に開閉式留具（７）を通し曲留し（図２Ｄ）顔及び胴体のカシメ玉（３）につなげ耳と見立て（図７）エレクトロニクス機器部品を着脱自在に組み合わせたロボット型装身具。
【請求項４】
古銭（１５）の開口部に、ワイヤーに丸玉（１６）２個挿通したものを貫通させ、図２Ａのスペーサー（２）の穴に古銭（１５）の開口部にワイヤーに丸玉（１６）２個挿通したものを貫通させ、ワイヤーを巻きつけ捩り留めし、ドーナツ型溝付きゴムブッシュ（１）の溝に８個のカシメ玉（３）を八方位に配置したワイヤー（４）を巻きつけ捩じり止めし、顔及び胴体と見立て（図８Ｈ）、９ピン（５）にＹ型圧着端子（６）、開閉式留具（７）を通し曲留し（図２Ｂ）顔及び胴体のカシメ玉（３）につなげ手と見立て、９ピン（５）にＲ型圧着端子（８）、開閉式留具（７）を通し曲留し（図２Ｃ）、胴体のカシメ玉（３）につなげ足と見立て、発光ダイオード（９）のリード線（１０）に開閉式留具（７）を通し曲留し（図２Ｄ）顔及び胴体のカシメ玉（３）につなげ耳と見立て（図９）エレクトロニクス機器部品を着脱自在に組み合わせたロボット型装身具。
【手続補正２】
【補正対象書類名】明細書
【補正対象項目名】０００９
【補正方法】変更
【補正の内容】
【０００９】    素材本来の用途を廃棄し、視点を変えて単に無機的素材として捉え、ハイテクでありながら可愛らしさのイメージを想起させるロボットを追求し組み合せ、基本は同じでも変化性をもたせたバリエーションをつくるためヘッドユニットに請求項２にみられるパソコンのキー（１３）をドーナツ型溝付きゴムブッシュ（１）の開口部に挿通したもの等、手足ユニットにもサイズを変化させた数種の形状変化種類を用意してバリエーション展開を図った組合せの装身具としている。
【手続補正３】
【補正対象書類名】明細書
【補正対象項目名】００１０
【補正方法】変更
【補正の内容】
【００１０】  以下、実施例について図面を参照に説明すると、図１において本考案の一形態を例示している。２個のスペーサー（２）を並列させ、ドーナツ型溝付きゴムブッシュ（１）の開口部に挿通し、ドーナツ型溝付きゴムブッシュ（１）の溝に８個のカシメ玉（３）を八方位に配置したワイヤー（４）を巻きつけ捩じり止めし、顔及び胴体と見立て（図２Ａ）、９ピン（５）にＹ型圧着端子（６）、開閉式留具（７）を通し曲留し（図２Ｂ）顔及び胴体のカシメ玉（３）につなげ手と見立て、９ピン（５）にＲ型圧着端子（８）、開閉式留具（７）を通し曲留し（図２Ｃ）、胴体のカシメ玉（３）につなげ足と見立て、発光ダイオード（９）のリード線（１０）に開閉式留具（７）を通し曲留し（図２Ｄ）顔及び胴体のカシメ玉（３）につなげ耳と見立て（図１）エレクトロニクス機器部品を着脱自在に組み合わせる。
【手続補正４】
【補正対象書類名】明細書
【補正対象項目名】００１１
【補正方法】変更
【補正の内容】
【００１１】  パソコンのキー（１３）をドーナツ型溝付きゴムブッシュ（１）の開口部に挿通し（図４）、ドーナツ型溝付きゴムブッシュ（１）の溝に８個のカシメ玉（３）を八方位に配置したワイヤー（４）を巻きつけ捩じり止めし、顔及び胴体と見立て（図４Ｆ）、９ピン（５）にＹ型圧着端子（６）、開閉式留具（７）を通し曲留し（図２Ｂ）顔及び胴体のカシメ玉（３）につなげ手と見立て、コンデンサー（１２）のリード線（１０）に開閉式留具（７）を通し曲留し（図２Ｅ）、顔及び胴体のカシメ玉（３）につなげ足と見立て、発光ダイオード（９）のリード線（１０）に開閉式留具（７）を通し曲留し（図２Ｄ）顔及び胴体のカシメ玉（３）につなげ耳と見立て（図５）エレクトロニクス機器部品を着脱自在に組み合わせる。
【手続補正５】
【補正対象書類名】明細書
【補正対象項目名】００１２
【補正方法】変更
【補正の内容】
【００１２】  ギターピック（１４）の開口部に、ワイヤーに丸玉（１６）２個挿通したものを貫通させ、図２Ａのスペーサー（２）の穴にギターピック（１４）の開口部にワイヤーに丸玉（１６）２個挿通したものを貫通させ、ワイヤーを巻きつけ捩り止めし、ドーナツ型溝付きゴムブッシュ（１）の溝に８個のカシメ玉（３）を八方位に配置したワイヤー（４）を巻きつけ捩じり止めし、顔及び胴体と見立て（図６Ｇ）、９ピン（５）にＹ型圧着端子（６）、開閉式留具（７）を通し曲留し（図２Ｂ）顔及び胴体のカシメ玉（３）につなげ手と見立て、９ピン（５）にＲ型圧着端子（８）、開閉式留具（７）を通し曲留し（図２Ｃ）、胴体のカシメ玉（３）につなげ足と見立て、発光ダイオード（９）のリード線（１０）に開閉式留具（７）を通し曲留し（図２Ｄ）顔及び胴体のカシメ玉（３）につなげ耳と見立て（図７）エレクトロニクス機器部品を着脱自在に組み合わせる。
【手続補正６】
【補正対象書類名】明細書
【補正対象項目名】００１３
【補正方法】変更
【補正の内容】
【００１３】  古銭（１５）の開口部に、ワイヤーに丸玉（１６）２個挿通したものを貫通させ、図２Ａのスペーサー（２）の穴に古銭（１５）の開口部にワイヤーに丸玉（１６）２個挿通したものを貫通させ、ワイヤーを巻きつけ捩り留めし、ドーナツ型溝付きゴムブッシュ（１）の溝に８個のカシメ玉（３）を八方位に配置したワイヤー（４）を巻きつけ捩じり止めし、顔及び胴体と見立て（図８Ｈ）、９ピン（５）にＹ型圧着端子（６）、開閉式留具（７）を通し曲留し（図２Ｂ）顔及び胴体のカシメ玉（３）につなげ手と見立て、９ピン（５）にＲ型圧着端子（８）、開閉式留具（７）を通し曲留し（図２Ｃ）、胴体のカシメ玉（３）につなげ足と見立て、発光ダイオード（９）のリード線（１０）に開閉式留具（７）を通し曲留し（図２Ｄ）顔及び胴体のカシメ玉（３）につなげ耳と見立て（図９）エレクトロニクス機器部品を着脱自在に組み合わせる。
【手続補正７】
【補正対象書類名】明細書
【補正対象項目名】００２３
【補正方法】変更
【補正の内容】
【００２３】発光ダイオード（９）のリード線（１０）に開閉式留具（７）を通し曲留（図２Ｅ）したものをしたものを予め準備しておく。
【手続補正８】
【補正対象書類名】明細書
【補正対象項目名】００３２
【補正方法】変更
【補正の内容】
【００３２】１    ドーナツ型溝付きゴムブッシュ
２    スペーサー
３    カシメ玉
４    ワイヤー
５    ９ピン
６    Ｙ型圧着端子
７    開閉式留具
８    Ｒ型圧着端子
９    発光ダイオード
１０  リード線
１１  Ｃ環
１２  コンデンサー
１３  パソコンキー
１４  ギターピック
１５  古銭
１６  丸玉
【手続補正９】
【補正対象書類名】図面
【補正対象項目名】図７
【補正方法】変更
【補正の内容】
【図７】
0003172279.tif 000012
【手続補正書】
【提出日】平成23年9月10日(2011.9.10)
【手続補正１】
【補正対象書類名】実用新案登録請求の範囲
【補正対象項目名】全文
【補正方法】変更
【補正の内容】
【実用新案登録請求の範囲】
【請求項１】
２個のスペーサー（２）を並列させ、ドーナツ型溝付きゴムブッシュ（１）の開口部に挿通し、ドーナツ型溝付きゴムブッシュ（１）の溝に８個のカシメ玉（３）を八方位に配置したワイヤー（４）を巻きつけ捩じり止めし、顔及び胴体と見立て、９ピン（５）にＹ型圧着端子（６）、開閉式留具（７）を通し曲留し、顔及び胴体のカシメ玉（３）につなげ手と見立て、９ピン（５）にＲ型圧着端子（８）、開閉式留具（７）を通し曲留し、胴体のカシメ玉（３）につなげ足と見立て、発行ダイオード（９）のリード線（１０）に開閉式留具（７）を通し曲留し、顔及び胴体のカシメ玉（３）につなげ耳と見立て、前記の開閉式留具を通して曲留された各エレクトロニクス機器部品を着脱自在に組み合わせたロボット型装身具。
【請求項２】
パソコンのキー（１３）をドーナツ型溝付きゴムブッシュ（１）の開口部に挿通し、ドーナツ型溝付きゴムブッシュ（１）の溝に８個のカシメ玉（３）を八方位に配置したワイヤー（４）を巻きつけ捩じり止めし、顔及び胴体と見立て、９ピン（５）にＹ型圧着端子（６）、開閉式留具（７）を通し曲留し、顔及び胴体のカシメ玉（３）につなげ手と見立て、コンデンサー（１２）のリード線（１０）に開閉式留具（７）を通し曲留し、顔及び胴体のカシメ玉（３）につなげ足と見立て、発行ダイオード（９）のリード線（１０）に開閉式留具（７）を通し曲留し、顔及び胴体のカシメ玉（３）につなげ耳と見立て、前記の開閉式留具を通して曲留された各エレクトロニクス機器部品を着脱自在に組み合わせたロボット型装身具。
【請求項３】
ギターピック（１４）の開口部に、ワイヤーに丸玉（１６）２個挿通したものを貫通させ、２個のスペーサー（２）を並列させ、ドーナツ型溝付きゴムブッシュ（１）の開口部に挿通し、スペーサー（２）の穴にギターピック（１４）の開口部にワイヤーに丸玉（１６）２個挿通したものを貫通させ、ワイヤーを巻きつけ捩り止めし、ドーナツ型溝付きゴムブッシュ（１）の溝に８個のカシメ玉（３）を八方位に配置したワイヤー（４）を巻きつけ捩じり止めし、顔及び胴体と見立て、９ピン（５）にＹ型圧着端子（６）、開閉式留具（７）を通し曲留し、顔及び胴体のカシメ玉（３）につなげ手と見立て、９ピン（５）にＲ型圧着端子（８）、開閉式留具（７）を通し曲留し、胴体のカシメ玉（３）につなげ足と見立て、発行ダイオード（９）のリード線（１０）に開閉式留具（７）を通し曲留し、顔及び胴体のカシメ玉（３）につなげ耳と見立て、前記の開閉式留具を通して曲留された各エレクトロニクス機器部品を着脱自在に組み合わせたロボット型装身具。
【請求項４】
古銭（１５）の開口部に、ワイヤーに丸玉（１６）２個挿通したものを貫通させ、スペーサー（２）の穴に古銭（１５）の開口部にワイヤーに丸玉（１６）２個挿通したものを貫通させ、ワイヤーを巻きつけ捩り留めし、ドーナツ型溝付きゴムブッシュ（１）の溝に８個のカシメ玉（３）を八方位に配置したワイヤー（４）を巻きつけ捩じり止めし、顔及び胴体と見立て、９ピン（５）にＹ型圧着端子（６）、開閉式留具（７）を通し曲留し、顔及び胴体のカシメ玉（３）につなげ手と見立て、９ピン（５）にＲ型圧着端子（８）、開閉式留具（７）を通し曲留し、胴体のカシメ玉（３）につなげ足と見立て、発行ダイオード（９）のリード線（１０）に開閉式留具（７）を通し曲留し、顔及び胴体のカシメ玉（３）につなげ耳と見立て、前記の開閉式留具を通して曲留された各エレクトロニクス機器部品を着脱自在に組み合わせたロボット型装身具。